(57)【要約】【課題】  アクチュエータをランプに組み込む時のフレクシャーの変形を防止する。【解決手段】  本発明のハードディスクドライブのヘッドパーキング用ランプ１３０は，ベース部材１１０に固設される固定部１３１と，エンドタブ１２７を支持する支持面１３３を有する支持部１３２と，外部からの衝撃によるフレクシャー１２４の上下揺動を制限するフレクシャーリミッター１３４と，を備え，フレクシャーに対面するフレクシャーリミッターの上面および底面のそれぞれの長手方向の両側端部のうち，少なくともディスク１１１，１１２の反対側の端部に第１傾斜面１３４ａが形成されることを特徴としている。【選択図】    図６
2006172699.tif 000002
【特許請求の範囲】
【請求項１】
ベース部材に回動自在に設置されたスイングアームと，前記スイングアームの一端部に結合されたロードビームと，前記ロードビームに付着されてスライダーを支持するフレクシャーと，前記ロードビームの先端部から延設されたエンドタブとを有するアクチュエータの前記スライダーに搭載された読み取り／書き取りヘッドを，前記ディスクの回転停止時に，前記ディスクから外れた位置にパーキングさせるハードディスクドライブのヘッドパーキング用ランプにおいて：
前記ベース部材に固設される固定部と；
前記エンドタブを支持する支持面を有する支持部と；
外部からの衝撃による前記フレクシャーの上下揺動を制限するフレクシャーリミッターと；
を備え，
前記フレクシャーに対面する前記フレクシャーリミッターの上面および底面のそれぞれの長手方向の両側端部のうち，少なくとも前記ディスクの反対側の端部に第１傾斜面が形成されることを特徴とする，ハードディスクドライブのヘッドパーキング用ランプ。
【請求項２】
前記支持部は，前記固定部から突設され，前記フレクシャーリミッターは，前記支持部から突設されることを特徴とする，請求項１に記載のハードディスクドライブのヘッドパーキング用ランプ。
【請求項３】
前記第１傾斜面は，前記フレクシャーリミッターの上面および底面のそれぞれの延長面に対して約３０゜〜６０゜の傾斜角度に形成されることを特徴とする，請求項１に記載のハードディスクドライブのヘッドパーキング用ランプ。
【請求項４】
前記第１傾斜面は，前記フレクシャーリミッターの上面および底面のそれぞれの長手方向の両側端部のそれぞれに形成されることを特徴とする，請求項１に記載のハードディスクドライブのヘッドパーキング用ランプ。
【請求項５】
外部からの衝撃による前記エンドタブの上下揺動を制限し，前記支持部の支持面に対面する支持部の対向面を有するエンドタブリミッターをさらに備え，
前記エンドタブリミッターの支持部の対向面の長手方向の両側端部のうち，少なくともディスクの反対側の端部に第２傾斜面が形成されることを特徴とする，請求項１に記載のハードディスクドライブのヘッドパーキング用ランプ。
【請求項６】
前記エンドタブリミッターは，前記固定部から突設されたことを特徴とする，請求項５に記載のハードディスクドライブのヘッドパーキング用ランプ。
【請求項７】
前記第２傾斜面は，前記エンドタブリミッターの支持部の対向面の延長面に対して約３０゜〜６０゜の傾斜角度に形成されることを特徴とする，請求項５に記載のハードディスクドライブのヘッドパーキング用ランプ。
【請求項８】
前記第２傾斜面は，前記エンドタブリミッターの支持部の対向面の長手方向の両側端部のそれぞれに形成されることを特徴とする，請求項５に記載のハードディスクドライブのヘッドパーキング用ランプ。
【請求項９】
前記固定部は，スクリューにより前記ベース部材に固定されることを特徴とする，請求項１に記載のハードディスクドライブのヘッドパーキング用ランプ。
【請求項１０】
ベース部材と；
前記ベース部材に設置されたスピンドルモーターと；
前記スピンドルモーターに装着された少なくとも一つのデータ保存用のディスクと；
読み取り／書き取りヘッドを移動させるアクチュエータと；
前記ディスクの回転停止時に，前記読み取り／書き取りヘッドを前記ディスクから外れた位置にパーキングさせるためのものであって，請求項１項〜請求項９のうち，何れか１項に記載のヘッドパーキング用ランプと；
を備えることを特徴とする，ハードディスクドライブ。
【発明の詳細な説明】
【技術分野】
【０００１】
本発明は，ハードディスクドライブ（Ｈａｒｄ Ｄｉｓｋ Ｄｒｉｖｅ：ＨＤＤ）に係り，より詳細には，ＨＤＤの作動停止時に読み取り／書き取りヘッドを安全にパーキングさせることが可能なＨＤＤのヘッドパーキング用ランプに関する。
【背景技術】
【０００２】
コンピュータの情報記録装置の一つであるＨＤＤは，読み取り／書き取りヘッドを使用してディスクにデータを記録もしくはデータから再生する装置である。このようなＨＤＤにおいて，上記ヘッドは，回転するディスクの記録面から所定高さに浮上した状態で，アクチュエータにより所望の位置に移動しつつその機能を遂行する。
【０００３】
一方，ＨＤＤが作動していない時，すなわち，ディスクの回転が停止した時には，上記ヘッドがディスクの記録面にぶつからないように，上記ヘッドをディスクの記録面から外れた位置にパーキングさせる。このようなヘッドのパーキングシステムは，ＣＳＳ（Ｃｏｎｔａｃｔ Ｓｔａｒｔ Ｓｔｏｐ）方式とランプローディング方式とに大別されうる。ＣＳＳ方式は，ディスクの内周側にデータが記録されないパーキングゾーンを設け，そのパーキングゾーンに上記ヘッドを接触させてパーキングさせる方式である。そして，ランプローディング方式は，ディスクの外側にランプを設置し，このランプ上に上記ヘッドをパーキングさせる方式である。
【０００４】
上記のＣＳＳ方式のヘッドパーキングシステムにおいては，ディスクの内周側に設けられたパーキングゾーンに読み取り／書き取りヘッドが接触した状態でパーキングされるため，ＨＤＤの作動停止時，すなわち，ディスクが回転しない時に外部から衝撃が加えられた場合には，この衝撃によりディスクおよびヘッドが振動しつつ，互いに衝突する。このようなヘッドの損傷により，ヘッドの読み取り／書き取り性能が著しく低下するという問題点が発生する。
【０００５】
したがって，携帯用のＨＤＤ，例えば，２.５”，１”または０.８５”などのディスクを使用するモバイルＨＤＤには，ＨＤＤの非作動時に，ヘッドを，ディスクから離れたランプにパーキングさせることにより，ディスクとヘッドとの衝突によるヘッドの損傷を防止できるランプローディング方式のヘッドパーキングシステムが広く採用されている。
【０００６】
図１は，従来のヘッドパーキング用のランプの一例を示す斜視図であり，図２は，図１に示す従来のヘッドパーキング用のランプにヘッドがパーキングされた状態を示す側面図である。
【０００７】
図１および図２に示すように，ＨＤＤには，少なくとも一つのデータ保存用のディスク１１，１２と，データの再生および記録のための読み取り／書き取りヘッドが搭載されたスライダー２５をディスク１１，１２上の所定位置に移動させるためのアクチュエータ２０とが備えられる。
【０００８】
上記アクチュエータ２０は，スイングアーム２１と，スイングアーム２１の一端部に設置されて，上記ヘッドが搭載されたスライダー２５をディスク１１，１２の表面側に付勢されるように支持するサスペンション組立体２２と，スイングアーム２１を回転させるためのボイスコイルモーター（Ｖｏｉｃｅ Ｃｏｉｌ Ｍｏｔｏｒ：ＶＣＭ，図示せず）と。を有する。上記サスペンション組立体２２は，スイングアーム２１の一端部に結合されたロードビーム２３と，上記ロードビーム２３にその後端部が付着されたフレクシャー２４とを備える。上記スライダー２５は，上記フレクシャー２４に付着されて支持される。
【０００９】
ＨＤＤが作動していない時，すなわち，ディスク１１，１２の回転が停止した時には，上記ヘッドがディスク１１，１２の記録面にぶつからないように，上記ヘッドをディスク１１，１２の記録面から外れた位置にパーキングさせる。このため，ディスク１１，１２の外側にはヘッドをパーキングさせるためのランプ３０が設置されており，ロードビーム２３の先端部には，上記ランプ３０により支持されるエンドタブ２７が所定長さに延設されている。
【００１０】
上記ランプ３０は，ＨＤＤのベース部材（図示せず）に固設される固定部３１と，上記エンドタブ２７を支持する支持面３３を有する支持部３２とから構成される。上記支持面３３のディスク１１，１２側の端部は傾斜するように形成され，エンドタブ２７のローディングおよびアンローディングが円滑に行われるようになっている。
【００１１】
ところが，ＨＤＤに外部から衝撃が加えられる場合，上記サスペンション組立体２２が上下に揺動し，その揺動により，対向するスライダー２５が互いに衝突して，各スライダー２５に搭載されたヘッドが損傷されるという問題点が生じうる。このような問題点を防止するために，上記ランプ３０には，フレクシャー２４の上下揺動を制限するためのフレクシャーリミッター３４と，エンドタブ２７の上下揺動を制限するためのエンドタブリミッター３７とが設けられている。
【００１２】
図３は，図１に示す従来のヘッドパーキング用のランプの問題点を説明するための正面図である。
【００１３】
図３に示すように，上記アクチュエータ２０は，スライダー２５が互いに接触しないように，シッピングコーム（図示せず）を使用してスライダー２５間の間隔を広げた状態で上記ランプ３０に組み込まれる。ところが，シッピングコームが許容公差を外れて製作された場合や，シッピングコームがアクチュエータ２０に良好に結合されていない場合などには，スライダー２５間の間隔が一定ではなく，フレクシャー２４およびエンドタブ２７の位置も原位置から外れる。
【００１４】
このような状態で，上記アクチュエータ２０がランプ３０に組み込まれる場合，フレクシャー２４がランプ３０のフレクシャーリミッター３４の側面にぶつかり得る。特に，従来のフレクシャーリミッター３４は，その側面が垂直な面として形成されており，組み込み過程で，フレクシャー２４には過度な歪みが発生しうる。このようなフレクシャー２４の過度な歪みは，フレクシャー２４の変形を誘発する。そして，上記の問題点は，アクチュエータ２０のエンドタブ２７とランプ３０のエンドタブリミッター３７との間でも発生しうる。
【００１５】
上記のような従来のランプ３０の構造によるフレクシャー２４およびエンドタブ２７の変形は，スライダー２５のロード／アンロードの特性に非常に大きな影響を及ぼし，また，ディスク１１，１２上でのスライダー２５の離陸および着陸時にスライダー２５を不安定にさせる。これにより，ディスク１１，１２の表面にスクラッチやＴＡ（Ｔｈｅｒｍａｌ Ａｓｐｅｒｉｔｙ）が発生するか，またはヘッドが損傷される等の深刻な問題点が発生する。
【００１６】
【特許文献１】特開２００１−４３６４４号公報
【発明の開示】
【発明が解決しようとする課題】
【００１７】
本発明は，上記問題点に鑑みてなされたものであり，本発明の目的は，特に，アクチュエータをランプに組み込む時，フレクシャーがフレクシャーリミッターに接触したとしてもフレクシャーが変形するのを防止することが可能な，新規かつ改良されたハードディスクドライブのヘッドパーキング用ランプおよびそれを備えたＨＤＤを提供することである。
【課題を解決するための手段】
【００１８】
上記課題を解決するために，本発明のある観点によれば，ベース部材に回動自在に設置されたスイングアームと，上記スイングアームの一端部に結合されたロードビームと，上記ロードビームに付着されてスライダーを支持するフレクシャーと，上記ロードビームの先端部から延設されたエンドタブとを有するアクチュエータの上記スライダーに搭載された読み取り／書き取りヘッドを，上記ディスクの回転停止時に，上記ディスクから外れた位置にパーキングさせるハードディスクドライブのヘッドパーキング用ランプにおいて：上記ベース部材に固設される固定部と；上記エンドタブを支持する支持面を有する支持部と；外部からの衝撃による上記フレクシャーの上下揺動を制限するフレクシャーリミッターと；を備え，上記フレクシャーに対面する上記フレクシャーリミッターの上面および底面のそれぞれの長手方向の両側端部のうち，少なくとも上記ディスクの反対側の端部に第１傾斜面が形成されることを特徴とする，ハードディスクドライブのヘッドパーキング用ランプが提供される。
【００１９】
上記支持部は，上記固定部から突設され，上記フレクシャーリミッターは，上記支持部から突設されるとしても良い。
【００２０】
上記第１傾斜面は，上記フレクシャーリミッターの上面および底面のそれぞれの延長面に対して約３０゜〜６０゜の傾斜角度に形成されるとしても良い。
【００２１】
上記第１傾斜面は，上記フレクシャーリミッターの上面および底面のそれぞれの長手方向の両側端部のそれぞれに形成されるとしても良い。
【００２２】
外部からの衝撃による上記エンドタブの上下揺動を制限し，上記支持部の支持面に対面する支持部の対向面を有するエンドタブリミッターをさらに備え，上記エンドタブリミッターの支持部の対向面の長手方向の両側端部のうち，少なくともディスクの反対側の端部に第２傾斜面が形成されるとしても良い。
【００２３】
上記エンドタブリミッターは，上記固定部から突設されうる。
【００２４】
上記第２傾斜面は，上記エンドタブリミッターの支持部の対向面の延長面に対して約３０゜〜６０゜の傾斜角度に形成されるとしても良い。
【００２５】
上記第２傾斜面は，上記エンドタブリミッターの支持部の対向面の長手方向の両側端部のそれぞれに形成されるとしても良い。
【００２６】
上記固定部は，スクリューにより上記ベース部材に固定されるとしても良い。
【００２７】
上記課題を解決するために，本発明の別の観点によれば，ベース部材と；上記ベース部材に設置されたスピンドルモーターと；上記スピンドルモーターに装着された少なくとも一つのデータ保存用のディスクと；読み取り／書き取りヘッドを移動させるアクチュエータと；上記ディスクの回転停止時に，上記読み取り／書き取りヘッドを上記ディスクから外れた位置にパーキングさせるためのものであって，請求項１項〜請求項９のうち，何れか１項に記載のヘッドパーキング用ランプと；を備えることを特徴とする，ハードディスクドライブが提供される。
【００２８】
このような構成によれば，アクチュエータをランプに組み込む時，フレクシャーがフレクシャーリミッターに接触してもフレクシャーの変形が防止されるため，スライダーのロード／アンロード特性および離着陸特性の低下を防止できる。
【発明の効果】
【００２９】
以上説明したように本発明によれば，アクチュエータをランプに組み込む時，フレクシャーがフレクシャーリミッターに接触したとしても，フレクシャーリミッターに形成された第１傾斜面によりフレクシャーが変形するのを防止することができる。また，エンドタブがエンドタブリミッターに接触する場合にも，エンドタブリミッターに形成された第２傾斜面によりエンドタブが変形するのを防止できる。
【発明を実施するための最良の形態】
【００３０】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００３１】
図４は，本発明の好ましい実施形態に係るヘッドパーキング用のランプが備えられたＨＤＤを示す平面図であり，図５は，図４に示す本発明の好ましい実施形態に係るヘッドパーキング用のランプとアクチュエータの斜視図である。
【００３２】
図４および図５に示すように，ＨＤＤには，ベース部材１１０上に設置されたスピンドルモーター１１３と，上記スピンドルモーター１１３に装着された一つまたはそれ以上のデータ保存用のディスク１１１，１１２と，データの再生および記録のための読み取り／書き取りヘッド（図示せず）をディスク１１１，１１２上の所定位置に移動させるためのアクチュエータ１２０と，ディスク１１１，１１２の回転停止時に読み取り／書き取りヘッドをパーキングさせるためのランプ１３０とが設けられる。
【００３３】
上記アクチュエータ１２０は，ベース部材１１０に設置されたビポット軸受１２１ａに回動自在に結合されたスイングアーム１２１と，スイングアーム１２１の一端部に設置されて，上記ヘッドが搭載されたスライダー１２５をディスク１１１，１１２の表面側に付勢されるように支持するサスペンション組立体１２２と，スイングアーム１２１を回転させるためのＶＣＭ
１２８と，を有する。
【００３４】
上記サスペンション組立体１２２は，上記スイングアーム１２１の一端部に結合されたロードビーム１２３と，上記ロードビーム１２３のディスク対向面に付着されて，上記ヘッドが搭載されたスライダー１２５を支持するフレクシャー１２４と，上記ロードビーム１２３の先端部から所定長さに延設されたエンドタブ１２７と，を備える。具体的に，上記フレクシャー１２４の後端部は，ロードビーム１２３のディスク対向面に溶接などにより固定され，その先端部は，ロードビーム１２３の先端部方向に延びて，所定の制限内で上下可動となっている。上記エンドタブ１２７は，上記読み取り／書き取りヘッドをランプ１３０にパーキングさせるためのものであって，後述するように，ＨＤＤの作動が停止した時に上記ランプ１３０の支持面１３３に接触して支持される。
【００３５】
上記ＶＣＭ １２８は，スイングアーム１２１の他端部に結合されるＶＣＭコイル１２８ａと，ＶＣＭコイル１２８ａに対面するように配置されたマグネット１２８ｂと，を備える。このような構成を有するＶＣＭ １２８は，サーボ制御システムにより制御され，ＶＣＭコイル１２８ａに入力される電流と，マグネット１２８ｂにより形成された磁場との相互作用によりフレミングの左手法則による方向にスイングアーム１２１を回転させる。
【００３６】
具体的に，ＨＤＤの電源がオンになって，ディスク１１１，１１２が矢印Ｄ方向に回転し始めれば，ＶＣＭ １２８は，スイングアーム１２１を逆時計回り方向（矢印Ａ方向）に回転させて，読み取り／書き取りヘッドが搭載されたスライダー１２５をディスク１１１，１１２の記録面上に移動させる。上記スライダー１２５は，回転するディスク１１１，１１２により発生する揚力によりディスク１１１，１１２の表面から所定高さに浮上する。このような状態でスライダー１２５に搭載されたヘッドは，ディスク１１１，１１２の記録面に対してデータを再生するか，または記録する機能を行う。
【００３７】
一方，ＨＤＤの電源がオフになってディスク１１１，１１２の回転が停止すれば，ＶＣＭ １２８は，上記ヘッドがディスク１１１，１１２の記録面にぶつからないように，スイングアーム１２１を時計回り方向（矢印Ｂ方向）に回転させて，上記ヘッドをディスク１１１，１１２の記録面から外れた位置に移動させ，さらにパーキングさせる。このために，ディスク１１１，１１２の外側に，本発明の実施形態に係るヘッドパーキング用のランプ１３０が設置され，サスペンション組立体１２２のロードビーム１２４の先端部に上記エンドタブ１２７が設けられる。
【００３８】
本発明の実施形態に係るヘッドパーキング用ランプ１３０は，ＨＤＤのベース部材１１０に固定される固定部１３１と，上記アクチュエータ１２０のエンドタブ１２７を支持する支持部１３２と，上記アクチュエータ１２０のフレクシャー１２４の上下揺動を制限するフレクシャーリミッター１３４と，を備える。
【００３９】
上記固定部１３１は，ＨＤＤのベース部材１１０に固定スクリュー１３９またはその他の手段により固設される。
【００４０】
上記支持部１３２は，上記固定部１３１からアクチュエータ１２０側に突設され，その長手方向の一端部，すなわち，ディスク側の端部がディスク１１１，１１２の外側のエッジ部の上面および底面のそれぞれにオーバーラップされる。そして，上記支持部１３２は，上記ディスク１１１，１１２の回転停止時に上記エンドタブ１２７を接触支持する支持面１３３を有する。上記支持面１３３のディスク側の端部は，傾斜するように形成されて，上記エンドタブ１２７のローディングおよびアンローディングが円滑に行われるようになっている。
【００４１】
上記フレクシャーリミッター１３４は，上記支持部１３２からアクチュエータ１２０方向に突設されて，その上面および底面がそれぞれフレクシャー１２４に対面するようになっている。上記フレクシャーリミッター１３４は，外部からの衝撃により上記フレクシャー１２４が上下搖動する時，上記フレクシャー１２４の上下揺動を制限して，互いに対向するスライダー１２５の相互衝突を防止する役割を担う。
【００４２】
そして，上記フレクシャーリミッター１３４の上面および底面のそれぞれの長手方向の両側端部には，第１傾斜面１３４ａが形成される。上記第１傾斜面１３４ａは，フレクシャーリミッター１３４の上面および底面のそれぞれの延長面に対して，約３０゜〜６０゜の傾斜角度θ１を有することが好ましい。一方，上記第１傾斜面１３４ａは，フレクシャーリミッター１３４のディスク１１１，１１２の反対側の端部のみに形成されてもよい。
【００４３】
上記のように，フレクシャーリミッター１３４に形成された上記第１傾斜面１３４ａは，アクチュエータ１２０をランプ１３０に組み込む時，フレクシャー１３４を所定位置に円滑に案内する役割を担う。かかる構成の説明は後で行う。
【００４４】
一方，上記の形状を有するフレクシャーリミッター１３４は，上記固定部１３１および支持部１３２と共にプラスチックの射出成形により一体に形成されうる。したがって，本発明の実施形態に係るランプ１３０は，全体的に一つの部品から構成することができ，その取扱いや組立が簡単である。
【００４５】
そして，本発明の実施形態に係るランプ１３０は，上記アクチュエータ１２０のエンドタブ１２７の上下揺動を制限するエンドタブリミッター１３７をさらに備え得る。
【００４６】
上記エンドタブリミッター１３７は，上記固定部１３１からアクチュエータ１２０側に突設されて，その上面および底面のうち，少なくとも何れか一面が支持部１３２の支持面１３３に対向するようになっている。したがって，ヘッドパーキング時，上記支持部１３２の支持面１３３と，それに対向するエンドタブリミッター１３７の支持部の対向面との間にエンドタブ１２７が位置するため，外部からの衝撃により上記エンドタブ１２７が上下搖動したとしても，上記エンドタブリミッター１３７により上記エンドタブ１２７の上下揺動が制限されうる。
【００４７】
上記のエンドタブリミッター１３７の支持部の対向面の長手方向の両側端部には，第２傾斜面１３７ａが形成されうる。上記第２傾斜面１３７ａも，エンドタブリミッター１３７の支持部の対向面の延長面に対して約３０゜〜６０゜の傾斜角度θ２を有することが好ましい。一方，上記第２傾斜面１３７ａは，エンドタブリミッター１３７のディスク１１１，１１２の反対側の端部のみに形成されてもよい。
【００４８】
上記のように，エンドタブリミッター１３７に形成された上記第２傾斜面１３７ａは，アクチュエータ１２０をランプ１３０に組み込む時，エンドタブ１２７を所定位置に円滑に案内する役割を担う。かかる構成の説明も後で行う。
【００４９】
一方，上記の形状を有するエンドタブリミッター１３７も，プラスチック射出成形により上記ランプ１３０に一体に形成されうる。
【００５０】
図６は，図５に示す本発明の好ましい実施形態に係るヘッドパーキング用のランプにアクチュエータを組み込む過程を説明するための正面図である。
【００５１】
図６に示すように，前述した構成同様，上記アクチュエータ１２０は，スライダー１２５が互いに接触しないようにシッピングコーム（図示せず）を使用して，スライダー１２５間の間隔を広げた状態で上記ランプ１３０に組み込まれる。ところが，シッピングコームが許容公差を外れて製作された場合や，シッピングコームがアクチュエータ１２０に良好に結合されていない場合などには，スライダー１２５間の間隔が一定ではなく，フレクシャー１２４およびエンドタブ１２７の位置も本来の位置から外れる。
【００５２】
このような状態で，上記アクチュエータ１２０がランプ１３０に組み込まれる場合，上記フレクシャー１２４がランプ１３０のフレクシャーリミッター１３４の側面（垂直面）にぶつかる可能性がある。この場合，本発明の実施形態に係るランプ１３０においては，フレクシャーリミッター１３４の両側端部に第１傾斜面１３４ａが形成されているため，上記フレクシャー１２４は，フレクシャーリミッター１３４の第１傾斜面１３４ａに接触する。したがって，上記フレクシャー１２４は，上記第１傾斜面１３４ａに接触した状態で上記第１傾斜面１３４ａに沿って本来の位置に円滑に移動できる。このように，上記フレクシャーリミッター１３４に形成された第１傾斜面１３４ａがフレクシャー１２４を案内するため，フレクシャー１２４の歪みが最小化されて，その変形が防止される。
【００５３】
一方，上記エンドタブ１２７がエンドタブリミッター１３７に接触する場合にも，エンドタブリミッター１３７に形成された第２傾斜面１３７ａにより上記の通りにエンドタブ１２７の変形が防止されうる。
【００５４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００５５】
本発明は，アクチュエータをランプに組み込む時，フレクシャーがフレクシャーリミッターに接触してもフレクシャーの変形を防止できる構造を有するヘッドパーキング用ランプおよびそれを備えたＨＤＤに関わり，ＨＤＤ関連の技術分野に効果的に適用できる。
【図面の簡単な説明】
【００５６】
【図１】従来のヘッドパーキング用のランプの一例を示す斜視図である。
【図２】図１に示す従来のヘッドパーキング用のランプにヘッドがパーキングされた状態を示す側面図である。
【図３】図１に示す従来のヘッドパーキング用のランプの問題点を説明するための正面図である。
【図４】本発明の好ましい実施形態に係るヘッドパーキング用のランプが備えられたＨＤＤを示す平面図である。
【図５】図４に示す本発明の好ましい実施形態に係るヘッドパーキング用のランプおよびアクチュエータの斜視図である。
【図６】図５に示す本発明の好ましい実施形態に係るヘッドパーキング用のランプにアクチュエータを組み込む過程を説明するための正面図である。
【符号の説明】
【００５７】
１１０    ベース部材
１１１，１１２  ディスク
１１３    スピンドルモーター
１２０    アクチュエータ
１２１    ビポット軸受
１２２    サスペンション組立体
１２３    ロードビーム
１２４    フレクシャー
１２５    スライダー
１２７    エンドタブ
１２８    ＶＣＭ
１２８ａ  ＶＣＭコイル
１２８ｂ    マグネット
１３０    ランプ
１３１    固定部
１３２    支持部
１３３    支持面
１３４    フレクシャーリミッター
１３４ａ  第１傾斜面
１３７    エンドタブリミッター
１３７ａ  第２傾斜面
１３９    固定スクリュー
【図１】
2006172699.tif 000003
【図２】
2006172699.tif 000004
【図３】
2006172699.tif 000005
【図４】
2006172699.tif 000006
【図５】
2006172699.tif 000007
【図６】
2006172699.tif 000008